(57)【要約】      （修正有）【課題】スタンド姿勢に簡単に形成することができるとともに、簡単に扁平姿勢にしてメモを書き込み易くすることができるカレンダーを提供する。【解決手段】カレンダーは、正面板２の上端に連設する背面板３には左右２本の縦方向の切り込みと左右の縦方向切り込みの下端に繋がった横方向の切り込みとによる挿入切り口３１が設けられ、正面板２の下端に連設する折り込み板４の先端には挿入切り口３１に挿入された差し込み舌片４１が延長して連設されている。正面板２の下端が背面板３から離間したスタンド姿勢では差し込み舌片４１が挿入切り口３１の下端に位置し、スタンド姿勢の正面板２を背面板３側に接近するように倒していくと差し込み舌片４１が挿入切り口３１の上部側へ移動して折り込み板４が正面板２と背面板３との間に折り畳まれて扁平姿勢となる。【選択図】図３
0003175659.tif 000002
【実用新案登録請求の範囲】
【請求項１】
カード型のカレンダー用紙を視認するための表示窓を設けた正面板を有し、
上記正面板の上端には折り曲げ線を介して裏側に折り込んだ背面板が連設され、この背面板には左右２本の縦方向の切り込みとこれら左右の縦方向切り込みの下端に繋がった横方向の切り込みとによる挿入切り口が設けられ、
上記正面板の下端には折り曲げ線を介して背面板の内側に折り込んだ折り込み板が連設され、この折り込み板の先端には上記背面板の挿入切り口に挿入された差し込み舌片が延長して連設され、
上記正面板の下端が背面板から離間したスタンド姿勢では、上記差し込み舌片が上記挿入切り口の下端に位置し、上記スタンド姿勢の正面板を背面板側に接近するように倒していくと、上記差し込み舌片が上記挿入切り口の上部側へ移動して上記折り込み板が正面板と背面板との間に折り畳まれて扁平姿勢となる構成を備えるカレンダー。
【請求項２】
請求項１に記載のカレンダーにおいて、
上記差し込み舌片は、左右両端に外側に突出する耳片が設けられ、
上記挿入切り口を形成する左右の縦方向切り込み間の間隔は、上記スタンド姿勢のときに上記差し込み舌片が位置する下端位置では上記左右の耳片が係合する幅狭に設定され、上記扁平姿勢のときに上記差し込み舌片が位置する上部位置では上記左右の耳片が係合しない幅広に設定されているカレンダー。
【請求項３】
請求項１又は２に記載のカレンダーにおいて、
上記挿入切り口には、左右の縦方向切り込みと下端の横方向切り込みとにより囲まれた切り抜き残部の下部を切欠いて上記差し込へ舌片を挿入し易くするための挿入スペースが設けられ、
上記切り抜き残部の下端には、上記スタンド姿勢のときに上記差し込み舌片に当接する凸部が連設されているカレンダー。
【請求項４】
請求項１〜３のいずれか１項に記載のカレンダーにおいて、
上記背面板には、上端中央に切欠きによりカレンダー用紙を出し入れ可能とする出し入れ口が設けられ、
上記出し入れ口の下端から切り抜いて内側に折り曲げた押圧片が設けられて該押圧片によりカレンダー用紙を正面板側に押圧する構成を備えるカレンダー。
【請求項５】
請求項１〜４のいずれか１項に記載のカレンダーにおいて、
上記折り込み板には、透孔が設けられ、
上記背面板の下端には、上記扁平姿勢のときに上記透孔に差し込み可能な係止舌片が切り抜きにより設けられているカレンダー。
【請求項６】
請求項１〜５のいずれか１項に記載のカレンダーにおいて、
上記正面板には、左右辺に内側に折り込んだ係止片が連設されて該係止片によりカレンダー用紙が横から脱出しないように係止する構成を備えるカレンダー。
【請求項７】
請求項１〜６のいずれか１項に記載のカレンダーにおいて、
上記表示窓は、上記正面板に切り取り線により部分的に結合した表紙部を切り離すことで形成され、
上記表紙部の外縁には、指掛け用の切欠き部が設けられているカレンダー。
【考案の詳細な説明】
【技術分野】
【０００１】
本考案は、机上に載置したり壁掛け用としても使用可能なカレンダーに関する。
【背景技術】
【０００２】
従来、卓上カレンダーとしては、正面板と背面板と底板とにより三角形状のスタンド姿勢に保形されて、上端にコイル状の綴じ具で複数枚のカレンダー用紙を綴じたものや、正面板にカード型のカレンダー用紙を収納するものがある。
【先行技術文献】
【特許文献】
【０００３】
【特許文献１】実用新案登録第３０５４７８９号公報
【特許文献２】特許第４５１７４９６号公報
【考案の概要】
【考案が解決しようとする課題】
【０００４】
このような従来の卓上カレンダーは、使用前（流通段階、販売時等）では平らに折り畳まれており、使用時には簡単にスタンド姿勢に組立てられることが望まれている。
一方、使用時では、三角形状のスタンド姿勢に保形されているため、カレンダー用紙の日付欄などにメモを書き込む場合、正面板とともにカレンダー用紙が撓んでしまい、メモを書き難くかった。また、正面板にカレンダー用紙を収納するタイプのものでは、カレンダー用紙を取り出してメモを書き込むのが面倒であった。
本考案は、上記事情に鑑みてなされたものであり、スタンド姿勢に簡単に形成することができるとともに、簡単に扁平姿勢にしてメモを書き込み易くすることができるカレンダーを提供することを目的とする。
【課題を解決するための手段】
【０００５】
本考案に係るカレンダーは、
カード型のカレンダー用紙を視認するための表示窓を設けた正面板を有し、
上記正面板の上端には折り曲げ線を介して裏側に折り込んだ背面板が連設され、この背面板には左右２本の縦方向の切り込みとこれら左右の縦方向切り込みの下端に繋がった横方向の切り込みとによる挿入切り口が設けられ、
上記正面板の下端には折り曲げ線を介して背面板の内側に折り込んだ折り込み板が連設され、この折り込み板の先端には上記背面板の挿入切り口に挿入された差し込み舌片が延長して連設され、
上記正面板の下端が背面板から離間したスタンド姿勢では、上記差し込み舌片が上記挿入切り口の下端に位置し、上記スタンド姿勢の正面板を背面板側に接近するように倒していくと、上記差し込み舌片が上記挿入切り口の上部側へ移動して上記折り込み板が正面板と背面板との間に折り畳まれて扁平姿勢となる構成を備える。
【０００６】
上記構成によれば、使用時には正面板の下端を引き上げるだけで折り込み板が起き上がるとともに差し込み舌片が挿入切り口の上部側から挿入切り口の下端位置に移動して、上記スタンド姿勢となる。従って、本カレンダーを卓上カレンダーとして簡単に且つ素早く組立てることができる。
また、上記スタンド姿勢の正面板を背面板側に接近するように倒していくと、折り込み板が寝ていくとともに差し込み舌片が挿入切り口の上部側へ移動し、折り込み板が正面板と背面板との間に折り畳まれて扁平姿勢となる。このように、正面板を背面板側に押して倒していくだけで、簡単に扁平姿勢とすることができる。従って、カレンダー用紙の日付欄などにメモを書き込む場合は、カレンダーを扁平姿勢とし平らな状態とすることでメモの書き込みを安定して且つ容易に行うことができる。また、流通段階、販売時等の使用前では、カレンダーを扁平姿勢とすることで取扱いが便利となる。さらには、カレンダーを扁平姿勢とすることで壁掛けカレンダーとしても使用することができる。
【考案の効果】
【０００７】
以上のように、本考案に係るカレンダーによれば、正面板を広げるだけで簡単にスタンド姿勢となるので、卓上カレンダーとして簡単に且つ素早く組立てることができる。また、スタンド姿勢にある正面板を背面板側に押し倒していくだけで、簡単に扁平姿勢とすることができるので、カレンダーを平らな状態とすることでメモの書き込みを安定して且つ容易に行うことができる。さらに、カレンダーを扁平姿勢とすることで壁掛けカレンダーとしても使用することができる。
【図面の簡単な説明】
【０００８】
【図１】実施形態によるカレンダーのスタンド姿勢における正面板側から見た斜視図である。
【図２】カレンダー用紙を取り出した状態において正面板側から見た斜視図である。
【図３】実施形態によるカレンダーのスタンド姿勢における背面板側から見た斜視図である。
【図４】カレンダーの展開図である。
【図５】スタンド姿勢のとき背面板側から見た平面図である。
【図６】扁平姿勢のときの背面板側から見た平面図である。
【考案を実施するための形態】
【０００９】
以下に、実施形態について添付図面を参照しながら説明する。
図１、図２、図３及び図４を参照して、カレンダー１は、紙製又はプラスチック製の１枚のシートから形成されており（図４参照）、正面板２と背面板３と折り込み板４とを備える。正面板２は、中央に大きく矩形状の表示窓２１が設けられており、この表示窓２１越しに正面板２の裏側に配置するカード型のカレンダー用紙１０の印刷面を視認することができる。カレンダー用紙１０は、紙製又はプラスチック製のシートで形成されており、例えば、一月分の日付や曜日を両面印刷したものからなり、６枚セットになって正面板２の裏側に配置される。なお、表示窓２１には、流通段階、販売時等の使用前においては正面板２に切り取り線により部分的に結合した表紙部５が設けられており、使用時にこの表紙部５を切り離すことによって表示窓２１が形成される。また、表紙部５の切り離しを容易にするため、表紙部５の外縁であるコーナ部には、指掛け用の切欠き部５１が設けられている。
【００１０】
背面板３は、正面板２の上端に連設されており、折り曲げ線２４を介して正面板２の裏側に折り込まれている。背面板３の上端中央は、広く切欠かれてカレンダー用紙１０を出し入れするための出し入れ口３６が設けられている。従って、月替わりのとき当月を表側となるように、この出し入れ口３６からカレンダー用紙１０を取り出して裏返しや入替を行うことができる。また、この背面板３には、中央位置において左右２本の縦方向の切り込み３２Ｌ，３２Ｒとこれら左右の縦方向切り込み３２Ｌ，３２Ｒの下端に繋がった横方向の切り込み３３とによる挿入切り口３１が設けられている。
【００１１】
折り込み板４は、正面板２の下端に連設されており、折り曲げ線２５を介して正面板２の裏側であって背面板３の内側に折り込まれている。この折り込み板４は、先端側が幅狭となった台形状に形成されており、先端の中央位置には差し込み舌片４１が延長して設けられている。差し込み舌片４１には、左右両端に外側に突出する耳片４１Ｌ，４１Ｒが設けられている。この差し込み舌片４１は、背面板３の挿入切り口３１に差し込まれている。
【００１２】
図５をも参照して、正面板２の下端が背面板３から離間して略三角形状となったスタンド姿勢では、折り込み板４が起き上がって差し込み舌片４１が挿入切り口３１の下端に位置している。そして、図６を参照して、上記スタンド姿勢の正面板２を背面板３側に接近するように倒していくと、折り込み板４が寝ていくとともに差し込み舌片４１が挿入切り口３１の上部側へ移動し、折り込み板４が正面板２と背面板３との間に折り畳まれて扁平姿勢となる。このように、正面板２を背面板３側に押して倒していくだけで、簡単に扁平姿勢とすることができる。なお、背面板３を正面板２側に押して倒しても、同様に、簡単に扁平姿勢とすることができる。従って、カレンダー用紙１０の日付欄などにメモを書き込む場合は、カレンダー１を扁平姿勢とし平らな状態とすることでメモの書き込みを安定して且つ容易に行うことができる。また、流通段階、販売時等の使用前では、カレンダー１を扁平姿勢とすることで取扱いが便利となる。そして、使用時には正面板２の下端を持ち上げるだけで折り込み板４が起き上がるとともに差し込み舌片４１が挿入切り口３１の上部側から挿入切り口３１の下端位置に移動して、上記スタンド姿勢となる。このように、扁平姿勢からも、簡単に略三角形状のスタンド姿勢とすることができる。従って、使用時には本カレンダー１を卓上カレンダーとして簡単に且つ素早く組立てることができる。
【００１３】
挿入切り口３１を形成する左右の縦方向切り込み３２Ｌ，３２Ｒは、上側へ行く程に互いに離れるように斜めに切り込まれている。すなわち、左右の縦方向切り込み３２Ｌ，３２Ｒ間の間隔は、上記スタンド姿勢のときに差し込み舌片４１が位置する下端位置では差し込み舌片４１の左右の耳片４１Ｌ，４１Ｒが係合する幅狭に設定され、上記扁平姿勢のときに差し込み舌片４１が位置する上部位置では差し込み舌片４１の左右の耳片４１Ｌ，４１Ｒが係合しない幅広に設定されている。このように、上記スタンド姿勢のときは、差し込み舌片４１の左右の耳片４１Ｌ，４１Ｒが挿入切り口３１に係合するので、スタンド姿勢を安定して維持することができる。また、上記扁平姿勢のときは、差し込み舌片４１の左右の耳片４１Ｌ，４１Ｒが挿入切り口３１との間で係合解除されるので、この扁平状態にすれば挿入切り口３１から差し込み舌片４１の離脱を容易に行ってカレンダー１から展開状態への分解を行うことができる。また、背面板３の挿入切り口３１には、左右の縦方向切り込み３２Ｌ，３２Ｒと下端の横方向切り込み３３とにより囲まれた切り抜き残部３４の下部を切欠いて差し込み舌片４１を挿入し易くするための挿入スペースＳが設けられている。従って、展開状態からカレンダー１への組み立ても容易に行うことができる。そして、切り抜き残部３４の下端には、上記スタンド姿勢のときに差し込み舌片４１に当接する凸部３４ａが連設されている。これにより、スタンド姿勢を安定して維持することができる。
【００１４】
また、背面板３には、出し入れ口３６の下端から切り抜いて内側に折り曲げた押圧片３７が設けられており、この押圧片３７によりカレンダー用紙１０を正面板２側に押圧するようにしている。この押圧片３７により、カレンダー用紙１０の配置を安定させることができる。また、正面板２には、左右辺に内側に折り込んだ係止片２６Ｌ，２６Ｒが連設されている。これら係止片２６Ｌ，２６Ｒにより、カレンダー用紙１０が横から脱出しないように係止することができる。なお、背面板３の左右辺にも内側に折り込んだ係止片３９Ｌ，３９Ｒが連設されている。
【００１５】
一方、折り込み板４には、正面板２との折り曲げ線２５の近くに横長の透孔４３が設けられており、背面板３の下端には、上記扁平姿勢のときに透孔４３に差し込み可能な係止舌片３８が切り抜きにより設けられている。また、正面板２の上端には、出し入れ口３６を形成するための切り抜き部分による延長片２２が延設されており、この延長片２２の真ん中に壁掛け用の孔２２ａが設けられている。従って、このカレンダー１を上記扁平姿勢とし、背面板３の係止舌片３８を折り込み板４の透孔４３に差し込んでこの扁平姿勢を維持させて、上部の壁掛け用孔２２ａを利用して壁等に吊るして壁掛けカレンダー１としても使用することができる。このように、本カレンダー１は、デスク回りの環境等や個人の好み等に応じて、卓上カレンダーや壁掛けカレンダーとして使用することができ、便利である。
【符号の説明】
【００１６】
１  カレンダー
２  正面板
３  背面板
４  折り込み板
５  表紙部
１０  カレンダー用紙
２１  表示窓
２２  延長片
２２ａ  壁掛け用孔
２４，２５  折り曲げ線
３１  挿入切り口
３２Ｌ，３２Ｒ  縦方向切り込み
３３  横方向切り込み
３４  切り抜き残部
３４ａ  凸部
３６  出し入れ口
３７  押圧片
３８  係止舌片
４１  差し込み舌片
４１Ｌ，４１Ｒ  耳片
４３  透孔
Ｓ  挿入スペース
【図１】
0003175659.tif 000003
【図２】
0003175659.tif 000004
【図３】
0003175659.tif 000005
【図４】
0003175659.tif 000006
【図５】
0003175659.tif 000007
【図６】
0003175659.tif 000008